(57)【要約】検知面に付着した付着の有無、付着物の種類、付着物の状態を推定できる付着物検出装置およびそれを用いた制御装置を提供する。検知面を介した光をレンズで結像させ、複数の微小受光素子を並べた受光素子部において受光する。付着物検出モードでは検知面からの全反射光を受光素子部で受光する。各要素を付着物がない場合に全反射し、付着物がある場合に全反射条件が満足されない角度で配置する。光散乱性付着物検出モードでは検知面からの散乱光を受光素子部で受光する。各微小受光素子の検出信号レベルをその微小受光素子の並びに応じてつなぎ合わせ、信号パターンを得る。付着物の有無・状態の差異に応じて現れる信号パターンの増加部分や低下部分などを解析し、雨滴、泥水、曇り、氷結など付着物の種類・状態を推定する。
2002021107.tif 000002
【特許請求の範囲】
【請求項１】
全反射用光源と散乱用光源を備え、前記全反射用光源から出射され透明性基板内に導入された入射光が反射され、また、前記散乱用光源から出射され前記透明性基板内に導入された入射光が照射される前記透明性基板の外表面を検知面とし、
前記検知面からの前記全反射用光源の反射光が受光手段により受光できるように前記全反射用光源、前記透明性基板、前記受光手段が配置され、また、前記散乱用光源による前記検知面からの散乱光が受光できるように前記散乱用光源、前記受光手段が配置され、
前記受光手段が検知した光検出信号における、付着物による前記全反射用光源からの信号レベルの変化を検出して前記付着物の存在を検出する付着物検出手段と、
前記受光手段が検知した光検出信号における、付着物による前記散乱用光源からの信号レベルの変化を検出して前記付着物が光散乱性のある付着物であるか否かを検出する光散乱性付着物検出手段を備えたことを特徴とする付着物検出装置。
【請求項２】
前記付着物検出手段と前記光散乱性付着物検出手段が、同一検知面からの光を受光するものである請求項１に記載の付着物検出装置。
【請求項３】
前記全反射用光源と前記散乱用光源とを切り替えて動作させる請求項１に記載の付着物検出装置。
【請求項４】
前記付着物検出手段により付着物の存在が検出され、かつ、前記光散乱性付着物検出手段により光散乱性付着物の存在が検出された場合、前記付着物が泥水であると推定し、
前記付着物検出手段により付着物の存在が検出され、かつ、前記光散乱性付着物検出手段により光散乱性付着物の存在が検出されない場合、前記付着物が水滴であると推定する請求項１に記載の付着物検出装置。
【請求項５】
全反射用と散乱用の２種類の光源を備え、前記全反射用光源から発射され透明性基板内に導入された入射光が反射され、また、前記散乱用光源から発射され前記透明性基板内に導入された入射光が照射される前記透明性基板の外表面の一部を検知面とし、
前記検知面から入射する前記全反射用光源による反射光と前記散乱用光源による散乱光をそれぞれ結像させる結像系レンズと、
受光素子アレイを備え、
前記結像系レンズからの光を受光し、各光源ごとに、各微小受光素子からの光検出信号をそれら微小受光素子の配列に応じて並べた信号パターンを生成し、検知面上の付着物の付着状態に対応した信号パターンを出力することを特徴とする付着物検出装置。
【請求項６】
前記全反射用光源の照射と、前記散乱用光源の照射とを切り替える光源切り替え手段を備えた請求項５に記載の付着物検出装置。
【請求項７】
前記信号パターンにおいて、周囲の信号レベルから相対的に信号レベルが低下しているパターン部分の存在を検出すれば、該パターン部分に対応する検知面上に付着物が存在すると検出する付着物検出手段と、
前記信号パターンにおいて、周囲の信号レベルから相対的に信号レベルが増加しているパターン部分の存在を検出すれば、該パターン部分に対応する検知面上に光散乱性付着物が存在すると検出する光散乱性付着物検出手段を備え、
前記付着物検出手段により付着物の存在が検出され、前記光散乱性付着物検出手段により光散乱性付着物の存在が検出された場合、前記付着物が光散乱性を持つ物質であると推定し、
前記付着物検出手段により付着物の存在が検出され、前記光散乱性付着物検出手段により散乱性付着物の存在が検出されない場合、前記付着物が光透過性を持つ物質であると推定する請求項５に記載の付着物検出装置。
【請求項８】
前記光散乱性付着物検出手段により検出された、前記散乱用光源の散乱光の信号パターンにおける周囲の信号レベルから相対的増加を示すパターン部分の相対的大きさから当該付着物の光散乱性の大きさを推定する請求項５に記載の付着物検出装置。
【請求項９】
前記光散乱性付着物検出手段により検出された、前記散乱用光源の散乱光の信号パターンにおける周囲の信号レベルから相対的増加を示すパターン部分の相対的変化から当該付着物の付着物の種類と状態を推定する請求項５に記載の付着物検出装置。
【請求項１０】
前記付着物検出手段により付着物の存在が検出され、かつ、前記光散乱性付着物検出手段により散乱性付着物の存在が検出された場合、前記付着物が泥水であると推定し、
前記付着物検出手段により付着物の存在が検出され、かつ、前記光散乱性付着物検出手段により散乱性付着物の存在が検出されない場合、前記付着物が水滴であると推定する請求項５に記載の付着物検出装置。
【請求項１１】
前記付着物検出手段により付着物の存在が検出され、かつ、前記光散乱性付着物検出手段により散乱性付着物の存在が検出された場合、前記付着物が泥水であると推定し、
前記光散乱性付着物検出手段により検出された、前記散乱用光源の散乱光の信号パターンにおける周囲の信号レベルから相対的に信号レベルの増加を示すパターン部分の相対的大きさが所定割合よりも小さい場合には、前記泥水が乾いている状態であると推定する請求項５に記載の付着物検出装置。
【請求項１２】
前記付着物検出手段により検出された、前記全反射用光源の反射光の信号パターンにおいて、信号パターン全体にわたる信号レベルの低下を検出し、かつ、前記光散乱性付着物検出手段により検出された、前記散乱用光源の散乱光の信号パターンにおいて、信号パターン全体にわたる信号レベルの増加を検出した場合は、前記付着物が結露による微小水滴であると推定する請求項５に記載の付着物検出装置。
【請求項１３】
前記付着物検出手段により検出された前記全反射用光源の反射光の信号パターンにおいて、信号パターン全体にわたり信号レベルが低下し、かつ、信号パターンの変化が滑らかでなく、前記光散乱性付着物検出手段により検出された前記散乱用光源の散乱光の信号パターンにおいて、信号パターン全体にわたり信号レベルが増加し、かつ、信号パターンの変化が滑らかでない場合は、前記付着物が氷結による氷であると推定する請求項５に記載の付着物検出装置。
【請求項１４】
前記検知面を自動車のウィンドシールド上に設け、前記ウィンドシールドに付着した付着物の存在を検知するレインセンサとした請求項１〜１３のいずれかに記載の付着物検出装置と、
ウィンドウワイパー駆動手段と、
ウィンドウワイパー制御手段を備え、
前記ウィンドウワイパー制御手段が、前記付着物推定部からの付着物の種類と状態についての推定結果に基づいて前記ウィンドウワイパー駆動手段の制御内容を変更するウィンドウワイパー装置。
【発明の詳細な説明】
技術分野
本発明は、検知面上に付着した付着物の存在、付着物の性質、付着物の状態を検出する付着物検出装置と、該付着物検出装置により付着物の存在が検出されたことを契機として制御内容を変更する付着物検出装置を用いた制御装置に関する。
背景技術
付着物の有無を検出し、付着物の存在が検出されたことを契機として制御内容を変更するシステムには様々なものがある。付着物の一例として雨滴を考えると、車のウィンドシールドのウィンドウワイパー制御装置は、天候の変化があり降雨が始まったことを契機として制御内容を臨機応変に変更する必要が生じる。このウィンドウワイパー制御装置の利便性を高めるための重要な課題の一つとして、降雨中であるのか否かを検知するレインセンサの開発が挙げられる。以下に、従来の付着物検出装置として、車のウィンドシールドにおける雨滴を付着物として検出する従来のレインセンサを説明する。
一般に普及している手動操作によるウィンドウワイパーの場合、運転者自身が降雨が始まったことを認識し、自動車の走行状態、ウィンドシールドに付着する雨滴の量の変化を勘案し、自動車運転時に必要とするウィンドシールド越しの視界を確保すべく、ウィンドウワイパーのスイッチをオフからオンに手動で切り替える必要がある。この手動によるウィンドウワイパーのスイッチ切替操作の煩わしさを緩和するため、レインセンサを設けて自動車のウィンドシールドの検知面上の雨滴など付着物の存在を検知し、ウィンドウの払拭が必要か否かを判定している。
従来のレインセンサには、雨滴の検知方法に応じて、反射光検知型レインセンサなどが知られている。図２３は、従来技術の反射光検知型レインセンサによる雨滴検出原理を簡単に説明した図である。図２３において、１０００は自動車のウィンドシールドである。説明の便宜上、ウィンドシールド１０００の上側空間を自動車内部側、つまり運転者側の空間、下側空間を外界とした。１０１０は光源、１０２０はプリズム、１０３０は反射光をウィンドシールド内から導き出すためのプリズム、１０４０はレンズ、１０５０は受光素子としてのＰＤ（Ｐｈｏｔｏ　Ｄｅｔｅｃｔｏｒ）、１１１０が検知面である。１１２０が検知面上に付着した雨滴である。光源１０１０からは検知面全体をカバーしうる広がりを持つ光束が照射され、そのうち１１３０が雨滴が付着した部分に対して入射した光の軌跡、１１３０以外の光１１４０が雨滴が付着していない検知面に対して入射した光の軌跡を表している。
反射光検知型レインセンサでは、各要素の取り付け角度と材質（特に材質が持つ屈折率）の調整が重要である。雨滴検出原理を簡単に言えば、検知面に雨滴が付着している場合は、入射した光はウィンドシールド１０００の外界面において全反射条件が満足されずに外界に逃げ、一方、検知面に雨滴が付着していない場合は、光源より入射した光はウィンドシールド１０００の外界面において全反射条件が満足されて全反射する。これら二つの場合の反射光の強度差を検出するわけである。
そのため、光源１０１０とプリズム１０２０は、照射光がウィンドシールド１０００内部に入射する入射条件を満たす角度、材質が選ばれ、また、ウィンドシールド１０００の外界面上の検知面において全反射する角度が選ばれる。さらに、雨滴付着による屈折率の変化により検知面１１１０における全反射条件の満足・不満足が切り換わるように検知面に対する光入射角度が選ばれる。
プリズム１０３０も反射光がウィンドシールド１０００外部に出射できるように出射条件を満たす、つまり全反射条件が満足されないように材質、角度が選ばれている。レンズ１０４０と受光素子１０５０は、レンズ１０４０に入射した光が受光素子１０５０のセンサ部分に集光するように角度と距離が調整されている。
なお、これら１０１０〜１０５０の要素は、ウィンドシールド１０００以外の場所、例えばボンネットの上や屋根の上などにも取り付け可能であるが、検知対象はウィンドシールド１０００の状態であるのでウィンドシールド１０００の一部に取り付けることが好ましい。また、運転者の視界を狭めないように取り付けられることが好ましい。例えば、もともとバックミラーが取り付けられて視界が遮られているウィンドシールド部分などに取り付けることが好ましい。
以上の従来の反射光検知型レインセンサの動作を簡単に説明すると、光源１０１０から照射された光束は、プリズム１０２０によりウィンドシールド１０００内部に導入され、検知面１１１０全面にわたり入射する。いま、検知面１１１０上には雨滴１１２０が付着していたものとする。検知面１１１０に入射した光のうち雨滴１１２０が付着した部分に対して入射した光１１３０は、ウィンドシールド１０００の外界面において、屈折率ｎが約１．３である雨滴の存在により全反射条件が満足されず、外界に逃げ、当該光が受光素子１０５０において検知されることはない。一方、検知面１１１０に入射した光のうち雨滴が付着していない部分に対して入射した光１１４０は、ウィンドシールド１０００の外界面には屈折率ｎが１である空気の存在により全反射条件が満足されて全反射する。全反射した光はウィンドシールド１０００の自動車内側の面のプリズム１０３０の存在により全反射せずに自動車内に出射する。出射した光はレンズ１０４０において受光素子１０５０上の光センサ部分に集光される。
このように、受光素子１０５０が検知する光量は、雨滴１１２０が存在すると減少し、雨滴１１２０が検知面１１１０上を覆う面積が大きくなるほど受光する光量は減少することとなる。この光量の変化を検出して検知面１１１０上の雨滴の存在を検知する。以上が従来の反射光検知型レインセンサによる雨滴検出原理である。
なお、それぞれのタイプのレインセンサは、上記したような信号変化を検知すれば雨滴検出信号を出力するように構成されている。レインセンサからの雨滴検出信号は、ウィンドウワイパーの制御部に入力され、当該雨滴検出信号の入力を契機として所定のウィンドウワイパーの制御などが行われる。
しかし、上記従来のレインセンサには以下に示すような問題点があった。
第１の問題として、従来のレインセンサでは付着物の存在を検知することができたとしても、付着物の種類とその状態を推定することができないという問題がある。レインセンサの主な目的はウィンドシールド１０００上を必要に応じて払拭するワイパーの駆動を制御することにあるが、ワイパーの駆動はウィンドシールド１０００上に付着した付着物の種類とその状態によって切り替えなければならない場合がある。従来のレインセンサでは付着物の種類とその状態を推定することができないため、一律に同じ制御を行わざるを得ない。
ウィンドシールド１０００に付着するものは降雨による水滴とは限らない。走行中に跳ね上がった泥水、ハトなどの鳥類が落とした糞など様々な種類の付着物が想定される。また付着物の状態も多様であり、水分が付着している場合でもウィンドシールド上に発生した曇りの状態として存在している場合や、冬季などの冷え込みにより氷結状態として存在している場合など様々な状態が想定される。また、泥水の場合も水分が多い状態と水分が少なく乾いた状態などが想定される。鳥類の糞の場合も柔らかい状態と乾いた状態などが想定される。
ワイパーの駆動はウィンドシールド１０００上に付着した付着物の種類とその状態によって切り替えることが好ましい。例えば、水分が氷結している場合や、泥水が乾いた状態、鳥類の糞が乾いた状態などは、ワイパーのみの払拭はあまり効果がなく、かえって装置やウィンドシールドを傷つける可能性がある。このような場合であれば、例えば、洗浄液の噴射とともにワイパー駆動することが好ましいと言える。
第２の問題は、付着物検出精度の問題である。従来のレインセンサであれば、受光素子における検出光量の信号レベルの絶対値を解析したり、一定時間間隔などで検出した信号レベルを保持しておき、信号レベルの経時変化を解析するなどにより検知面上の付着物の存在などを検出していた。付着物の種類や付着状態などに応じて検出される信号レベルの経時変化は微妙に異なるが、その微妙な変化を的確に捉え、付着物の種類や付着状態を推定することは容易ではない。
発明の開示
本発明は、上記問題点に鑑み、検知面上における付着物の存在の有無の検出のみならず、付着物の種類を推定し、さらにその状態をも推定することができる付着物検出装置と、当該付着物検出装置を用いて推定した付着物の種類と状態に応じた制御を行う制御装置を提供することを目的とする。
上記課題を解決するために、本発明の第１の付着物検出装置は、全反射用光源と散乱用光源を備え、前記全反射用光源から出射され透明性基板内に導入された入射光が反射され、また、前記散乱用光源から出射され前記透明性基板内に導入された入射光が照射される前記透明性基板の外表面を検知面とし、前記検知面からの前記全反射用光源の反射光が受光手段により受光できるように前記全反射用光源、前記透明性基板、前記受光手段が配置され、また、前記散乱用光源による前記検知面からの散乱光が受光できるように前記散乱用光源、前記受光手段が配置され、前記受光手段が検知した光検出信号における、付着物による前記全反射用光源からの信号レベルの変化を検出して前記付着物の存在を検出する付着物検出手段と、前記受光手段が検知した光検出信号における、付着物による前記散乱用光源からの信号レベルの変化を検出して前記付着物が光散乱性のある付着物であるか否かを検出する光散乱性付着物検出手段を備えたことを特徴とする。
上記構成により、付着物検出手段による反射条件の変化に基づいた付着物の有無の存在のみならず、光散乱性付着物検出手段による散乱条件の変化に基づいた付着物の光散乱性の有無を検出することができ、付着物の光散乱性を基に付着物の種類の推定を行うことができる。
ここで、本発明の第１の付着物検出装置において、前記付着物検出手段と前記光散乱性付着物検出手段が、同一検知面からの光を受光するものであることが好ましい。
上記構成によれば、両手段の検知面として共通のものを用いることができ、装置を小型化することができる。
また、本発明の第１の付着物検出装置において、前記全反射用光源と前記散乱用光源とを切り替えて動作させることが好ましい。
上記構成によれば、両手段が共通の検知面を用いた場合でも両手段の制御を簡単に行うことができる。
次に、本発明の第１の付着物検出装置において、前記付着物検出手段により付着物の存在が検出され、前記光散乱性付着物検出手段により光散乱性付着物の存在が検出された場合、前記付着物が光散乱性を持つ物質であると推定し、また、前記付着物検出手段により付着物の存在が検出され、前記光散乱性付着物検出手段により光散乱性付着物の存在が検出されない場合、前記付着物が光透過性を持つ物質であると推定することが好ましい。つまり、前記付着物検出手段により付着物の存在が検出され、かつ、前記光散乱性付着物検出手段により光散乱性付着物の存在が検出された場合、前記付着物が泥水であると推定し、前記付着物検出手段により付着物の存在が検出され、かつ、前記光散乱性付着物検出手段により光散乱性付着物の存在が検出されない場合、前記付着物が雨滴であると推定することが好ましい。
上記構成により、検出された付着物が、光透過性が少なく光散乱性を持つもの、例えば泥であるのか、光透過性を持つもの、例えば雨滴であるかを推定することができる。なぜなら、泥水は光散乱性を有しているので、検知面上で光散乱を起こし、一方、雨滴は透明で光散乱性を有していないので、検知面上で光散乱を起こさないからである。
上記課題を解決するために、本発明の第２の付着物検出装置は、全反射用と散乱用の２種類の光源を備え、前記全反射用光源から発射され透明性基板内に導入された入射光が反射され、また、前記散乱用光源から発射され前記透明性基板内に導入された入射光が照射される前記透明性基板の外表面の一部を検知面とし、前記検知面から入射する前記全反射用光源による反射光と前記散乱用光源による散乱光をそれぞれ結像させる結像系レンズと、受光素子アレイを備え、前記結像系レンズからの光を受光し、各光源ごとに、各微小受光素子からの光検出信号をそれら微小受光素子の配列に応じて並べた信号パターンを生成し、検知面上の付着物の付着状態に対応した信号パターンを出力することを特徴とする。
上記構成により、付着物検出手段による反射条件の変化に基づいた付着物の有無の存在のみならず、光散乱性付着物検出手段による散乱条件の変化に基づいた付着物の散乱性の有無を検出することができ、付着物の散乱性を基に付着物の種類の推定をも行うことができる。上記構成では検知面上に対応した微小受光素子から検出される光検出信号を受光素子の配列に応じて並べた一種の信号パターン（信号波形）を得る。この信号パターンは検知面から得られる信号レベルをつなぎ合わせてパターン化したものであり、検知面上の付着物の状態の相違は、信号パターンの微小区間の相対的変化として表れることとなる。本発明は、信号パターン中の相対的変化を解析することにより、検知面上の付着物の種類、状態などを推定することができる。さらに、信号パターンの微小区間同士の相対的な変化を解析するので、細かい付着物の有無も精度良く検出することができ、また、温度特性などによる環境の変化の影響も受けにくい。なおこの信号パターンの解像度は、検知面に対応する受光素子に依存することとなる。
なお、本発明の第２の付着物検出装置において、前記全反射用光源の照射と、前記散乱用光源の照射とを切り替える光源切り替え手段を備えることが好ましい。
上記構成により、全反射用光源を用いた場合の信号パターンと、散乱用光源を用いた場合の信号パターンを区別して得ることができる。特に、全反射用光源と散乱用光源として同じ波長の光源を用いる場合などには両者が混在しないように切り替えることが好ましい。
次に、本発明の第２の付着物検出装置は、前記信号パターンにおいて、周囲の信号レベルから相対的に信号レベルが低下しているパターン部分の存在を検出すれば、該パターン部分に対応する検知面上に付着物が存在すると検出する付着物検出手段と、前記信号パターンにおいて、周囲の信号レベルから相対的に信号レベルが増加しているパターン部分の存在を検出すれば、該パターン部分に対応する検知面上に光散乱性付着物が存在すると検出する光散乱性付着物検出手段を備え、前記付着物検出手段により付着物の存在が検出され、前記光散乱性付着物検出手段により光散乱性付着物の存在が検出された場合、前記付着物が光散乱性を持つ物質であると推定し、前記付着物検出手段により付着物の存在が検出され、前記光散乱性付着物検出手段により散乱性付着物の存在が検出されない場合、前記付着物が光透過性を持つ物質であると推定することが好ましい。
上記構成により、検出された付着物が、光透過性が少なく散乱性を持つものであるのか、光透過性を持つものであるかを推定することができる。
また、上記本発明の第２の付着物検出装置において、前記光散乱性付着物検出手段により検出された、前記散乱用光源の散乱光の信号パターンにおける周囲の信号レベルから相対的増加を示すパターン部分の相対的大きさから当該付着物の光散乱性の大きさを推定することが好ましい。
上記構成により、付着物の光散乱性の大きさを信号パターンの相対的変化を考慮して推定することができる。
また、本発明の第２の付着物検出装置において、前記光散乱性付着物検出手段により検出された、前記散乱用光源の散乱光の信号パターンにおける周囲の信号レベルから相対的増加を示すパターン部分の相対的変化から当該付着物の付着物の種類と状態を推定することが好ましい。
上記構成により、信号パターンの相対的変化を考慮して付着物の種類と状態について正確な推定をすることができる。
また、本発明第２の付着物検出装置において、前記付着物検出手段により付着物の存在が検出され、かつ、前記光散乱性付着物検出手段により散乱性付着物の存在が検出された場合、前記付着物が泥水であると推定し、前記付着物検出手段により付着物の存在が検出され、かつ、前記光散乱性付着物検出手段により散乱性付着物の存在が検出されない場合、前記付着物が水滴であると推定することができる。
なぜなら、泥水は光散乱性を有しているので、検知面上で光散乱を起こし、一方、雨滴は透明で光散乱性を有していないので、検知面上で光散乱を起こさないからである。
また、本発明の第２の付着物検出装置において、前記付着物検出手段により付着物の存在が検出され、かつ、前記光散乱性付着物検出手段により散乱性付着物の存在が検出された場合、前記付着物が泥水であると推定し、前記光散乱性付着物検出手段により検出された、前記散乱用光源の散乱光の信号パターンにおける周囲の信号レベルから相対的に信号レベルの増加を示すパターン部分の相対的大きさが所定割合よりも小さい場合には、前記泥水が乾いている状態であると推定することができる。
なぜなら、乾いた泥は、ミクロにみれば検知面と接点においてのみ接しているので、光散乱を生じる領域が泥水に比べて相対的に小さいので、信号パターンにおける信号低下部分の相対的大きさの割合が小さくなるからである。
また、本発明の第２の付着物検出装置において、前記付着物検出手段により検出された、前記全反射用光源の反射光の信号パターンにおいて、信号パターン全体にわたる信号レベルの低下を検出し、かつ、前記光散乱性付着物検出手段により検出された、前記散乱用光源の散乱光の信号パターンにおいて、信号パターン全体にわたる信号レベルの増加を検出した場合は、前記付着物が結露による微小水滴であると推定することができる。
なぜなら、結露は検知面全体を覆う形で付着し、信号レベル全体が変化し、かつ、検知面において差異があまりないので信号パターンは滑らかなものとなるからである。
また、本発明の第２の付着物検出装置において、前記付着物検出手段により検出された前記全反射用光源の反射光の信号パターンにおいて、信号パターン全体にわたり信号レベルが低下し、かつ、信号パターンの変化が滑らかでなく、前記光散乱性付着物検出手段により検出された前記散乱用光源の散乱光の信号パターンにおいて、信号パターン全体にわたり信号レベルが増加し、かつ、信号パターンの変化が滑らかでない場合は、前記付着物が氷結による氷であると推定することができる。
なぜなら、氷結がある場合は、検知面を覆う形で氷結が見られ、信号レベル全体が変化し、かつ、氷結表面形状の複雑な変化より検知面において状態の差異が不規則に生じ、信号パターンに不規則性が見出されるからである。
次に、上記した本発明の付着物検出装置は、前記検知面を自動車のウィンドシールド上に設けることにより、前記ウィンドシールドに付着した付着物の存在を検知するレインセンサとして利用することが可能となる。当該付着物検出装置をレインセンサとして用い、さらに、ウィンドウワイパー駆動手段と、ウィンドウワイパー制御手段を備え、前記ウィンドウワイパー制御手段が、前記付着物推定部からの付着物の種類と状態についての推定結果に基づいて前記ウィンドウワイパー駆動手段の制御内容を変更するウィンドウワイパー装置として構成することができる。
上記構成により、ウィンドシールド上の付着物の存在、種類、状態に応じて、ワイパーの払拭制御内容が適切なものとなるように制御したウィンドウワイパー装置を提供することができる。例えば、雨滴が検知されれば、ワイパーによる払拭動作とし、水分を含んだ泥水であれば、同様にワイパーによる払拭動作とし、乾いた状態の泥であれば、ワイパーによる払拭動作はせず、ウォッシャー液の散布を行う動作とし、検知面上の結露（いわゆる曇り）を検知した場合は、ワイパーによる払拭動作とし、検知面上の氷結を検知した場合は、ワイパーによる払拭動作およびウォッシャー液の散布を行わず、氷結防止用のヒータの始動など、検知面の状態に合わせた対応処理を行うことができる。
発明を実施するための最良の形態
本発明の第１の付着物検出装置として、検知面を通して受光素子において得られた入射光の光検出信号のレベルにより付着物を推定する付着物検出装置を、実施形態１〜実施形態２に示す。
また、本発明の第２の付着物検出装置として、受光素子として複数の微小受光素子を並べた微小受光素子アレイを用い、検知面を通して各微小受光素子において得られた入射光の光検出信号レベルをつなぎ合わせて得た信号パターンを解析することにより付着物を推定する付着物検出装置を、実施形態３〜実施形態６に示す。
さらに、本発明の付着物検出装置をレインセンサとして用いたウィンドウワイパー制御装置を、実施形態７に示す。
（実施形態１）
本発明の第１の付着物検出装置を説明する。実施形態１として、検知面上における付着物の有無と当該付着物が光散乱性を持つ物体であるか否かを推定できる付着物検出装置を説明する。特に一例として、付着物が雨滴である場合と泥水である場合を挙げて両者の区別ができることを示す。
本発明の実施形態１の付着物検出装置は、検知面に照射された全反射用光源による反射光と散乱用光源の散乱光を受光手段によりそれぞれ受光し、その光検出信号のレベルを解析することにより、検知面上の付着物の存在、種類、状態に起因する検知面上での全反射条件と散乱条件の変化を検出し、付着物の存在、種類、状態を推定することを基本原理とする。
本発明の付着物検出装置は、透明性基板の検知面上における付着物の有無、種類、状態を推定するため、下記の全反射用光源を用いた付着物検出モードと散乱用光源を用いた光散乱性付着物検出モードを備えた構成例となっている。もちろん他の実施形態として、付着物検出モードを持たず、光散乱性付着物検出モードのみとする構成や、光散乱性付着物検出モードを持たず、付着物検出モードのみとする構成なども可能である。
ここで、付着物検出モードとは、透明性基板の検知面上における付着物の有無を検出するためのモードである。光散乱性付着物検出モードとは、検知面上における付着物が光散乱性を有するものであるか否か、例えば、付着物が泥水や鳥類の糞など光散乱性を有するものであるか否かを検知するモードである。本発明の付着物検出装置は、付着物検出モードにおいて検知面上における付着物の存在が検出され、光散乱性付着物検出モードにおいて光散乱性が検出されない場合、当該付着物が雨滴など光透過性を持つものであることが推定できる。また、付着物検出モードにおいて検知面上における付着物の存在が検出され、光散乱性付着物検出モードにおいて光散乱性が検出された場合、当該付着物が泥水など光散乱性を持つものであることが推定できる。
図１は実施形態１の本発明の付着物検出装置の装置構成例を簡単に示した模式図である。
図１において、１００が透明性基板の一例としてのウィンドシールド１００である。ウィンドシールド１００の下層は外界である。検知面１１０はウィンドシールド１００と外界との境界面の一定領域にある。１０が全反射用光源、２０が散乱用光源である。３０ａ，３０ｃがプリズムである。４０が集光レンズ、５０が受光手段としての受光素子部である。６０が付着物推定部である。なお、この例では、全反射用光源１０、プリズム３０ａ、プリズム３０ｃ、集光レンズ４０、受光素子部５０により付着物検出手段が構成されている。また、散乱用光源２０、プリズム３０ｃ、集光レンズ４０、受光素子部５０により光散乱性付着物検出手段が構成されている。
全反射用光源１０は、指向性のある照射光を照射でき、照射光が検知面１１０に対して所定角度で入射するような位置および角度で配置されている。全反射用光源１０から出射されプリズム３０ａを介してウィンドシールド１００に導入された光が検知面１１０に入射し、図１（ｃ）のように検知面１１０に付着物がない場合、つまり、空気が接している場合、検知面上での全反射条件が満足されるように調整されている。なお、プリズム３０ｃ、集光レンズ４０、受光素子部５０は、検知面１１０においてウィンドシールド１００内に全反射した反射光がウィンドシールド１００表面に取り付けられたプリズム３０ｃを介してウィンドシールド１００外に出射し、集光レンズ４０により受光素子部５０の受光面上に集光するように調整されている。さらに、全反射用光源１０や上記要素の配置および取り付け角度は、図１（ｂ）のように雨滴（水分）が接している場合には検知面１１０上での全反射条件が満足されないように調整される。
いま、外界の媒質の屈折率をｎ１、ウィンドシールド１００の屈折率をｎ２とし、照射光の検知面への入射角度をθ１とすると、全反射条件は（数１）で表される。
【数１】
2002021107.tif 000003
ここで、図１（ｃ）のように雨滴がない場合の外界の媒質、つまり、空気の屈折率としてｎ１が１となり、ウィンドシールド１００の屈折率ｎ２の例として約１．５１とすると（数１）より、４１．４７°＜θ１となる。さらに、図１（ｂ）のように雨滴付着の場合は、水の屈折率が約１．３３であるので、θ１＜６１．７４°であれば良いこととなる。つまり、検知面１１０において（数１）で示した全反射条件の満足・不満足が切り換わる光入射角度θ１は、４１．４７°＜θ１＜６１．７４°の範囲で選ばれる。これら条件を満たす要素の配置および取り付け角度の例としてこの例では、光源１０からの照射光の検知面１１０への入射角度および反射角度が４７°となるように調整する。
次に、散乱用光源２０を説明する。散乱用光源２０も、指向性のある照射光を照射でき、照射光が検知面１１０に対して所定角度で入射するような位置および角度で配置されている。ここでは、受光手段である受光素子部５０において付着物によって散乱された光の有無を感度良く確認する必要があり、付着物が検知面上にない状態において散乱用光源２０の照射光が直接受光素子部５０に入射しないように構成する。つまり、全反射用光源１０で設定する角度からずらし、散乱用光源のウィンドシールドによる全反射光が直接受光素子部５０に入射しないように配置する。また、例えば、散乱用光源２０の照射光の入射角度を、検知面１１０に対して全反射条件である上記（数１）が成立しない角度、つまり、外界の媒質の屈折率をｎ１、ウィンドシールド１００の屈折率をｎ２とし、照射光の検知面への入射角度をθ１’とすると、θ１’の角度は散乱用光源からの光が全反射しない条件である４１．４７°以下にする。図１の例ではθ１’を０°としている。
プリズム３０ａは、全反射用光源１０とウィンドシールド１００の両者を光学的にコンタクトさせる媒体となるプリズムであり、全反射用光源１０から照射された光をウィンドシールド１００内に導く働きをする。
なお、散乱用光源２０とウィンドシールド１００の両者を光学的にコンタクトさせる媒体となるプリズムがなくとも散乱用の光を入射させることができるので必ずしも必須ではないが、プリズムを設ける構成としても良い。
プリズム３０ｃは、検知面１１０における全反射用光源１０からの反射光および散乱用光源２０からの散乱光をウィンドシールド１００内から導き出す働きをする。
集光レンズ４０は、プリズム３０ｃから入力された光を受光手段である受光素子部５０上に集光させるためのレンズである。なお、これに限られることなく、レンズのない構成でも良い。
受光手段である受光素子部５０は、照射光量に応じて光検出信号を出力する受光素子を備えているもので、集光レンズ４０と受光素子部５０の受光素子は、集光レンズ４０に入射した光が受光素子部５０の受光素子上で集光するように角度と距離が調整されている。
上記したように、全反射用光源１０、プリズム３０ａ、プリズム３０ｃ、集光レンズ４０、受光素子部５０により付着物検出手段が構成され、また、散乱用光源２０、プリズム３０ｃ、集光レンズ４０、受光素子部５０により光散乱性付着物検出手段が構成されているが、本実施形態１の付着物検出装置は、全反射用光源１０による光照射タイミングと、散乱用光源２０による光照射タイミングを切り替えることにより、付着物検出手段が稼動する付着物検出モードと、光散乱性付着物検出手段が稼動する光散乱性付着物検出モードとを切り替えることができるものとする。制御部分は図１には図示しなかったが、全反射用光源１０のオンオフ制御、散乱用光源２０のオンオフ制御、付着物推定部６０への稼動モード通知、つまり、付着物検出モードであるか光散乱性付着物検出モードであるかを通知する機能を備えた制御部分があるものとする。付着物推定部６０が当該制御部分を兼ねる構成としても良い。
次に、付着物推定部６０を説明する。付着物推定部６０は、受光素子部５０からの光検出信号を受け、光検出信号を解析することにより、付着物の有無、付着物の種類、付着物の状態を推定処理する部分である。なお、推定処理では各モードにおける前回の光検出信号値からの相対変化を用いて推定するので、付着物推定部６０は、各モードの前回に検出した光検出信号値をラッチするラッチ部を備えているものとする。なお、付着物検出モードにおける光検出信号のラッチ部を第１のラッチ部、光散乱性付着物検出モードにおける光検出信号のラッチ部を第２のラッチ部とする。
以下に、付着物推定部６０による付着物の有無、付着物の種類、付着物の状態の推定処理について説明する。まず、雨滴が検知面１１０上に付着している場合の付着物推定部６０による当該付着物に対する推定処理の概念を説明する。
図２（ａ）は、検知面上に雨滴が付着している場合における、付着物検出モードでの光の進行の様子を模式的に示したものである。付着物検出モードでは、光が全反射用光源１０から検知面１１０に照射され、散乱用光源２０は消灯されている。ここでは検知面１１０には雨滴があるため、上記に検討したように検知面１１０における全反射条件が満足されず、照射光が外界へ逃げてしまう。この場合、受光素子部５０には光が受光されないこととなる。そのため付着物推定部６０が付着物検出モードで受け取る光検出信号は、原理的に前回の信号レベルに対する“信号レベル低下”が検出されることになる。
図４は受光素子部５０で検出された光検出信号の例を示す図である。なお、横軸は時間軸であり、各モードが交互に切り換えられている。４０１が付着物検出モード、４０２が光散乱性付着物検出モード、４０３が付着物検出モード、４０４が光散乱性付着物検出モードというように交互になっている。
図４（ａ）は付着物が雨滴である場合の光検出信号例を示している。付着物推定部６０は図４（ａ）に示すように、今回の付着物検出モード４０３の信号レベルは、第１のラッチ部にラッチされている前回の付着物検出モード４０１の信号レベルと比べ、信号レベルが低下していることが検知される。なお、基準信号値は絶対値で管理する必要はなく、装置がデフォルト状態から稼動を始め、前回に付着物検出モードにおいて捉えた信号値からの相対変化のみで判断しても良い。もっとも、ノイズによる影響を除去するため、相対変化の割合におけるしきい値を設定しておき、当該しきい値を超える信号レベルの低下があった場合にのみ“信号レベル低下”と判断することが好ましい。
図２（ｂ）は、検知面上に雨滴が付着している場合における、光散乱性付着物検出モードでの光の進行の様子を模式的に示したものである。光散乱性付着物検出モードでは、散乱用光源２０から光が検知面１１０に照射され、全反射用光源１０は消灯されている。ここでは検知面１１０には雨滴があるが、雨滴は光散乱性に乏しく、原理的には光散乱が起こらないため、照射光が外界へ逃げてしまう。この場合、受光素子部５０には光が受光されないこととなる。そのため付着物推定部６０が光散乱性付着物検出モードにおいて受け取る光検出信号は、低いレベルにあることになる。
図４（ａ）の光検出信号例において、今回の光散乱性付着物検出モード４０４の信号レベルは、第２のラッチ部にラッチされている前回の光散乱性付着物検出モード４０２の光検出信号レベル同様、低いレベルにあることがわかる。もっとも、ノイズによる影響を除去するため、一定のしきい値を設けておき、当該しきい値を超えない場合のみ“低いレベル”と判断することが好ましい。
付着物推定部６０は、付着物検出モードで“信号レベル低下”、光散乱性付着物検出モードで“信号レベル変化なし（低いレベルのまま）”が得られた場合、雨滴の存在、つまり、光散乱性の乏しい付着物の存在を推定する。図８は付着物検出モードと光散乱付着物検出モードにおける光検出信号レベルによる付着物の有無、付着物の種類、付着物の状態の推定を表した図であるが、上記の雨滴の推定は図８の（２）の場合に相当する。
次に、泥水が検知面１１０上に付着している場合の付着物推定部６０による当該付着物に対する推定処理の概念を説明する。
図３（ａ）は、検知面上に泥水が付着している場合における、付着物検出モードでの光の進行の様子を模式的に示したものである。図２（ａ）の場合と同様、全反射用光源１０から照射光が検知面１１０に照射され、散乱用光源２０は消灯されている。検知面１１０の泥水１２０ａの存在により検知面１１０における全反射条件が満足されず、照射光が外界へ逃げたり、散乱したり、泥水内で吸収されたりして、受光素子部５０には光が受光されない。そのため付着物推定部６０は付着物検出モードで受け取る光検出信号を比較・解析し、前回の信号レベルに対する“信号レベル低下”を検出できることになる。
図４（ｂ）は付着物が泥水である場合の光検出信号例を示している。付着物推定部６０は図４（ａ）の場合と同様、今回の付着物検出モード４０３の信号レベルは、第１のラッチ部にラッチされている前回の付着物検出モード４０１の信号レベルと比べ、信号レベルが低下していることが検知される。
図３（ｂ）は、検知面上に泥水が付着している場合における、光散乱性付着物検出モードでの光の進行の様子を模式的に示したものである。散乱用光源２０から照射光が検知面１１０に照射され、全反射用光源１０は消灯されている。散乱用光源光が泥水１２０ａである付着物に当たる。ここで、泥水１２０ａは光散乱性を有しているので光散乱が起こることとなる。このため泥水１２０ａから周囲には散乱光が発せられ、その一部が、プリズム３０ｃ、集光レンズ４０を介して受光素子部５０に受光されることとなる。そのため付着物推定部６０が光散乱性付着物検出モードにおいて受け取る光検出信号は、原理的に前回の信号レベルに比べ“信号レベル増加”ということになる。
図４（ｂ）の光検出信号例において、今回の光散乱性付着物検出モード４０４の信号レベルは、第２のラッチ部にラッチされている前回の光散乱性付着物検出モード４０２の“０”レベル付近の信号レベルと比べ、信号レベルが増加していることがわかる。もっとも、ノイズによる影響を除去するため、一定のしきい値を設けておき、当該しきい値を超えた場合のみ“信号レベル増加”と判断することが好ましい。
付着物推定部６０は、付着物検出モードで“信号レベル低下”、光散乱性付着物検出モードで“信号レベル増加”が得られた場合、泥水の存在、つまり、光散乱性を有する付着物の存在を推定する。この推定は図８の（３）の場合に相当する。なお、泥水が水分を含んだ状態であるか、泥が乾いた状態であるかを区別して推定する処理は後述する実施形態２において述べる。
なお、付着物推定部６０は、付着物検出モードで“信号レベル増加”が検出された場合には、付着物が検知面上から取り除かれたと推定し、光散乱性検出モードで“信号レベル低下”が検出された場合には、光散乱性付着物が検知面上から取り除かれたと推定することができる。この推定は図８の（５）の場合に相当する。
図５は、本実施形態１の付着物検出装置の付着物推定部６０による付着物の有無、付着物の種類、付着物の状態の推定処理を示すフローチャートである。なお、この例では、付着物推定部６０が、付着物検出モードと光散乱性付着物検出モードとを切り替える制御部分を兼ね、光検出信号値をラッチするラッチ機能を備えている構成例とした。
まず、付着物推定部６０は、稼動モードを付着物検出モードに設定し、全反射用光源１０に光照射制御信号を送る（処理Ｏｐ５０１）。全反射用光源１０は検知面１１０に照射光を照射し、受光手段である受光素子部５０は検知面１１０からの反射光を受光する。
次に、付着物推定部６０は、受光素子部５０の信号レベルを取得する（処理Ｏｐ５０２）。この今回の信号レベルが、付着物有無を推定するための対象信号となる。
次に、付着物推定部６０は、第１のラッチ部にラッチされている前回の付着物検出モードにおいて受光素子部５０から検出された光検出信号レベルを取得する（処理Ｏｐ５０３）。なお、前回ラッチされている信号がない初期状態での処理は初期値の信号レベルを“低レベル”にしておく。
次に、付着物推定部６０は、今回の受光素子部５０の信号レベルと前回の受光素子部５０の信号レベルを比較・解析し、その変化を検知する（処理Ｏｐ５０４）。
付着物推定部６０は、両者の相対的変化割合について“信号レベル低下”、“信号レベル増加”と判断するしきい値を持っており、“信号レベル低下”、“信号レベル増加”“信号レベル変化無し”の３状態のいずれかを検知する（処理Ｏｐ５０５）。
次に、付着物推定部６０の第１のラッチ部は、ラッチしていた前回の受光素子部５０の信号レベルに代え、今回の受光素子部５０の信号レベルをラッチする（処理Ｏｐ５０６）。
次に、付着物推定部６０は、稼動モードを光散乱性付着物検出モードに設定し、散乱用光源２０に光照射制御信号を送る（ステップ５０７）。散乱用光源２０は検知面１１０に照射光を照射し、受光手段である受光素子部５０は検知面１１０からの散乱光を受光する。
次に、付着物推定部６０は、受光素子部５０の信号レベルを取得する（処理Ｏｐ５０８）。この今回の信号レベルが、光散乱性付着物有無を推定するための対象信号となる。
次に、付着物推定部６０は、第２のラッチ部にラッチされている前回の光散乱性付着物検出モードにおいて受光素子部５０から検出された光検出信号レベルを取得する（処理Ｏｐ５０９）。なお、前回ラッチされている信号がない初期状態での処理は初期値の信号レベルを“低レベル”としておく。
次に、付着物推定部６０は、今回の受光素子部５０の信号レベルと前回の受光素子部５０の信号レベルを比較・解析し、その変化を検知する（処理Ｏｐ５１０）。
付着物推定部６０は、両者の相対的変化割合について“信号レベル低下”、“信号レベル増加”と判断するしきい値を持っており、“信号レベル低下”、“信号レベル増加”“信号レベル変化無し”の３状態のいずれかを検知する（処理Ｏｐ５１１）。
次に、付着物推定部６０の第２のラッチ部は、ラッチしていた前回の受光素子部５０の信号レベルに代え、今回の受光素子部５０の信号レベルをラッチする（処理Ｏｐ５１２）。
次に、付着物推定部６０は、処理Ｏｐ５０５における付着物検出モードで検知した“信号レベル低下”、“信号レベル増加”“信号レベル変化無し”の３状態のいずれかと、処理Ｏｐ５１１における光散乱性付着物検出モードで検知した“信号レベル低下”、“信号レベル増加”“信号レベル変化無し”の３状態のいずれかとの組み合わせに応じ、図８で示した表に基づいて、付着物の有無、付着物の種類を推定する（処理Ｏｐ５１３）。
上記構成によれば、図８の（１）、（２）、（３）、（５）に示した、“付着物なし”、“雨滴あり（光透過性を有する付着物あり）”、“泥水あり（光散乱性を有する付着物あり）”、“付着物除去”の４つの状態を推定することができる。
付着物推定部６０は、上記推定結果を表す出力信号を出力し（処理Ｏｐ５１４）、処理が継続される場合（処理Ｏｐ５１５：Ｙ）には処理Ｏｐ５０１に戻り、処理が継続されない場合（処理Ｏｐ５１５：Ｎ）には終了する。
なお、上記説明において、付着物検出モードが先で、光散乱性付着物検出モードが後としたが、両者の順序が逆になっても良いことは言うまでもない。
以上、本実施形態１の付着物検出装置によれば、検知面上における付着物の有無と当該付着物が光散乱性を持つ物体であるか否かを推定でき、特に例として示したように付着物が雨滴であるか泥水かなどを区別することができる。
（実施形態２）
実施形態２の付着物検出装置は、本発明の第１の付着物検出装置において、付着物の種類やその状態の推定処理について、さらなる応用機能を備えた例を説明する。特に一例として、付着物を泥水とし、当該泥水が、水分を含むいわゆる“泥水”状態であるか、乾燥した状態であるかを区別して推定する例を示す。
装置構成、各要素の配置については実施形態１と同様で良いのでここでは省略するが、付着物推定部６０の処理が異なっている。
まず、泥水が、水分を含むいわゆる“泥水”状態であるか、乾燥した状態の泥であるかを区別して推定する原理を説明する。
なお、水分を含むいわゆる“泥水”に関しては、実施形態１において説明したのでここでの詳しい説明は省略する。付着物検出モードでの光の経路は図３（ａ）と同様であり、その信号レベルは図４（ａ）と同様に検出でき、前回の信号レベルに対する“信号レベル低下”が検出されることになる。また、光散乱性付着物検出モードにおいては、図３（ｂ）のように、検知面１１０の泥水の存在により検知面１１０における散乱が起こり、散乱光の一部が受光手段である受光素子部５０により捉えられ、図４（ｂ）のように前回の信号レベルに対する“信号レベル低下”が検出されることになる。
次に、図６（ａ）に乾燥した状態の泥が検知面１１０上に付着している場合の付着物検出モードでの様子を模式的に示す。付着物検出モードでは、水分を含んだ状態の泥水の場合の図３（ａ）と同様、検知面１１０の乾燥した泥水の存在により照射光の一部が散乱されたり泥内で吸収されたりして、全反射光を受光する場合に比べて相対的に小さいものとなる。しかし、照射光の一部の散乱光が受光素子部５０に受光される。そのため光検出信号レベルの低下は、雨滴の場合に比べて相対的に小さいものとなる。このように、付着物推定部６０は前回の信号レベルに対する“信号レベル低下”が検出されることになる。
図６（ｂ）に泥水が乾燥した状態で検知面１１０上に付着している場合の光散乱性付着物検出モードでの様子を模式的に示す。光散乱性付着物検出モードでは、水分を含んだ状態の泥水の場合の図３（ｂ）と同様、検知面１１０の乾燥した泥１２０ｂの存在により検知面１１０における光散乱が起こり、一部の散乱光が受光素子部５０に受光されるが、受光素子部５０が受光する光量が水分を含んだ泥水による光散乱の場合に比べ相対的に小さいものとなる。このように、光散乱光検出レベルが水分を含んだ泥水の場合より相対的に小さいものとなる理由を以下に示す。水分を含んだ泥水の場合は、図６（ｃ）に示すように、水分の存在により検知面１１０に対して密着しており、泥水が接している面積全体で光散乱が起こるが、一方、乾いた状態の泥は、図６（ｄ）に示すように、水分がないため検知面１１０に対して密着しておらず、泥の粒子の検知面に対する接点のみでしか光散乱が起きないからである。
本実施形態２の付着物検出装置は、原理的には光散乱性付着物検出モードにおける受光素子部５０の光検出信号レベルを解析することにより、付着物の水分の過多、つまり、水分を含んだ状態の泥水であるか、乾いた状態の泥水であるかを区別して推定するものである。付着物の水分の過多の推定処理の一例としては、光散乱性付着物検出モードにおける前回の受光素子部５０の信号レベルと今回の受光素子部５０の信号レベルを比較し、その“信号レベル増加”の割合の過多から付着物の水分の過多を推定する。もっとも前回の受光素子部５０の信号レベルが小さく“０レベル”付近にある場合など信号レベル増加の割合が算出しづらい場合があるが、その場合、信号レベル絶対値の過多により付着物の水分の過多を推定することも可能であり、また、相対変化、絶対変化の両者から判断しても良い。
このように、推定部６０は、付着物検出手段稼動モードにおいて“信号レベル低下”、光散乱性付着物検出手段稼動モードにおいて“信号レベル増加（増加割合大）”と判断した場合には水分を含んだ状態の泥水が付着していると推定し、付着物検出手段稼動モードにおいて“信号レベル低下”、光散乱性付着物検出手段稼動モードにおいて“信号レベル増加（増加割合小）”と判断した場合には乾いた状態の泥が付着していると推定する。その乾き具合は信号レベル変化の大きさを勘案して推定することも可能である。
図７は、実施形態２の付着物検出装置の付着物推定部６０による付着物の有無、付着物の種類、付着物の状態の推定処理を示すフローチャートである。なお、この例でも、付着物推定部６０が、付着物検出モードと光散乱性付着物検出モードとを切り替える制御部分を兼ね、光検出信号値をラッチするラッチ機能を備えている構成例としている。
実施形態２の付着物検出装置の付着物推定部６０による推定処理ステップは、開始以降のステップは、実施形態１の図５に示した、付着物検出モードにおける処理Ｏｐ５０１〜処理Ｏｐ５０６、光散乱性付着物検出モードへの移行後の処理Ｏｐ５０７〜処理Ｏｐ５０９まで同様のもので良いので、図７のフローチャートからは図示を省略した。
付着物推定部６０は、処理Ｏｐ５０９において、第２のラッチ部にラッチされている前回の光散乱性付着物検出モードにおいて受光素子部５０から検出された光検出信号レベルを取得した後、今回の受光素子部５０の信号レベルと前回の受光素子部５０の信号レベルを比較・解析し、その変化を検知する（処理Ｏｐ７０１）。
付着物推定部６０は、両者の相対的変化割合について“信号レベル低下”、“信号レベル増加”と判断するしきい値を持っており、“信号レベル低下”、“信号レベル増加”“信号レベル変化無し”の３状態のいずれかを検知する（処理Ｏｐ７０２）。
付着物推定部６０は、“信号レベル増加”の場合（処理Ｏｐ７０３：Ｙ）は、その相対的変化割合も保持しておく（処理Ｏｐ７０４）。
次に、付着物推定部６０の第２のラッチ部は、ラッチしていた前回の受光素子部５０の信号レベルに代え、今回の受光素子部５０の信号レベルをラッチする（処理Ｏｐ７０５）。
次に、付着物推定部６０は、処理Ｏｐ５０５における付着物検出モードで検知した“信号レベル低下”、“信号レベル増加”“信号レベル変化無し”の３状態のいずれかと、処理Ｏｐ７０２における光散乱性付着物検出モードで検知した“信号レベル低下”、“信号レベル増加”“信号レベル変化無し”の３状態のいずれかとの組み合わせに応じ、さらには、処理Ｏｐ７０４において保持していた“信号レベル増加”の場合の相対的変化割合を考慮し、図８で示した表に基づいて、付着物の有無、付着物の種類を推定する（処理Ｏｐ７０６）。なお、この処理Ｏｐ７０６においては、処理Ｏｐ７０５において第２のラッチ部にラッチした光散乱性付着物検出モードにおける受光素子部５０の信号レベル絶対値を用いて推定する処理も可能である。図８の（３）および（４）に示すように、泥水との推定において、“信号レベル増加”の相対的変化割合が大きい場合には、“水分を含んだ状態の泥水”と推定され、“信号レベル増加”の相対的変化割合が小さい場合には“乾いた状態の泥”と推定される。
上記の推定結果の出力および処理継続確認、終了処理は実施形態１と同様の処理で良く、処理Ｏｐ７０６の後、図５の処理Ｏｐ５１４に遷移する。
なお、上記説明において、付着物検出モードが先で、光散乱性付着物検出モードが後としたが、両者の順序が逆になっても良いことは言うまでもない。
以上、実施形態２の付着物検出装置によれば、付着物の種類やその状態の推定処理において付着物が含む水分の過多を推定することができ、付着物が泥水である場合、当該泥水が、水分を含むいわゆる“泥水”状態であるか、乾燥した状態であるかを区別して推定することができる。
（実施形態３）
本発明の第２の付着物検出装置の実施形態を示す。
実施形態３にかかる本発明の第２の付着物検出装置は、検知面に対応する受光素子アレイを備え、結像系レンズにより検知面を介して得られる光を受光素子アレイに結像させて受光し、光検出信号を各微小受光素子の並びに対応した信号パターンとし、当該信号パターンの変化部分を解析することにより検知面上の付着物の有無、種類などを検出するものである。まず、実施形態３として、検知面上における付着物の有無と当該付着物が光散乱性を持つ物体であるか否かを推定できる付着物検出装置を説明する。特に一例として、付着物が雨滴である場合と泥水である場合を挙げて両者の区別ができることを示す。
本発明の第２の付着物検出装置は、第１の付着物検出装置と同様に、透明性基板の検知面上における付着物の有無、種類、状態を推定するため、全反射用光源を用いた付着物検出モードと散乱用光源を用いた光散乱性付着物検出モードを備えた構成例となっている。もちろん他の実施形態として、付着物検出モードを持たず、光散乱性付着物検出モードのみとする構成や、光散乱性付着物検出モードを持たず、付着物検出モードのみとする構成なども可能である。本発明の付着物検出装置は、検知面に照射された全反射用光源による反射光と散乱用光源の散乱光を受光手段によりそれぞれ受光し、その光検出信号を信号パターンとして解析することにより、検知面上の付着物の存在、種類、状態に起因する検知面上での全反射条件と散乱条件の変化を検出し、付着物の存在、種類、状態を推定することを基本原理とする。
本発明の付着物検出装置の装置構成例を示す。図９は実施形態３にかかる本発明の第２の付着物検出装置の装置構成例を簡単に示した模式図である。なお、装置構成の断面を示したものとなっており、後述するように当該断面の各構成要素が紙面垂直方向にアレイ状に複数構成されている。図９において、１００が透明性基板の一例としてのウィンドシールド１００である。ウィンドシールド１００の下層は外界である。検知面１１０はウィンドシールド１００と外界との境界面の一定領域にある。１０ａが全反射用光源、２０ａが散乱用光源である。３０ａ，３０ｃがプリズムである。４０ａが結像レンズ、５０ａが受光手段としての受光素子部（電荷結合素子）である。６０ａが付着物推定部である。なお、この例では、全反射用光源１０ａ、プリズム３０ａ、プリズム３０ｃ、結像レンズ４０ａ、受光素子部５０ａにより付着物検出手段が構成されている。また、散乱用光源２０ａ、プリズム３０ｃ、結像レンズ４０ａ、受光素子部５０ａにより光散乱性付着物検出手段が構成されている。
全反射用光源１０ａは、複数のＬＥＤなどの光源を一端または両端など端部に持ち、線状に設けられている開口部から光を取り出すものであり、線状の開口部から光線が取り出される。全反射用光源１０ａの取り付け角度は、実施形態１と同様であり、光入射角度θ１が、４１．４７°＜θ１＜６１．７４°の範囲で選ばれている。本実施形態の例においても、全反射用光源１０ａからの照射光の検知面１１０への入射角度および反射角度が４７°となるように調整する。
次に、散乱用光源２０ａを説明する。散乱用光源２０ａも、全反射用光源１０ａと同様、複数のＬＥＤなどの光源を一端または両端など端部に持ち、線状の開口部から光線が取り出される。散乱用光源２０ａの取り付け角度も、実施形態１と同様であり、散乱用光源２０ａの照射光の入射角度θ１’を、検知面１１０に対して全反射条件が成立しない角度である、４１．４７°＜θ１’とする。この例ではθ１’を０°としている。
図１０（ａ）が全反射用光源１０の端面を表し、図１０（ｂ）が開口部１４が見える面を正面から様子を示している。全反射用光源１０ａは例えば複数の光源を端部に設け、線状に設けられている開口部１４から取り出すものであり、線状の開口部１４から光線として各々出射され、並列平行の直進光１５として複数取り出される。図１０（ａ）において、１１が光源としてのＬＥＤ、１２が透光性材料よりなる導光体、１３が光を遮蔽するカバー、１４がＬＥＤ光を取り出す開口部、１５がＬＥＤ１１から出射された光線である。なお、ＬＥＤ１１は図１０（ｂ）の左右の一端または両端部設け、カバー１３の内面における反射を繰り返して開口部１４の各部分に導く構成である。また、ＬＥＤは導光体の開口部１４に対向する面に等間隔で配置しても良い。
図１０（ｂ）の開口部１４から取り出された光はプリズム３０ａに入射される。
以下に、ウィンドシールド１００上に付着する雨滴の大きさを検討した。もっとも、降雨した雨滴の大きさやウィンドシールド１００上での付着の状態により付着した雨滴の大きさは多様に変化するが、目安として具体的数値を挙げて検討した。一般的に、霧雨と言われる雨滴の空気中での直径は０．１〜０．２ｍｍ程度、小粒の雨と言われる雨滴の空気中での直径は０．２〜１ｍｍ程度、大粒の雨と言われる雨滴の空気中での直径は２〜４ｍｍ程度、夕立など特に激しい雨の雨滴の空気中での直径は４〜６ｍｍ程度である。これら雨滴がウィンドシールド１００に付着したときの大きさは、ガラス表面が親水性か撥水性かにより変化するが、撥水性であると想定すると、雨滴はほぼ空気中の大きさと同じ大きさで表面に付着する。ここで、検出すべき最小の雨滴として、小粒の雨の平均的サイズ、例えば、０．５ｍｍ直径の雨滴を選択すれば、当該雨滴一粒に相当する微小領域の面積は、約０．２ｍｍ２である。さらに感度を上げるため、検出すべき最小の雨滴として小粒の雨の最小サイズ、０．２ｍｍ直径の雨滴を選択すれば、当該雨滴一粒に相当する微小領域の面積は、約０．０３ｍｍ２である。
次に、各プリズムを説明する。
プリズム３０ａは、全反射用光源１０ａとウィンドシールド１００の両者を光学的にコンタクトさせる媒体となるプリズムであり、全反射用光源１０ａから照射された光をウィンドシールド１００内に導く働きをする。
プリズム３０ｃは、検知面１１０における全反射用光源１０ａからの反射光および散乱用光源２０ａからの散乱光をウィンドシールド１００内から導き出す働きをする。
次に、結像レンズ４０ａを説明する。結像レンズ４０ａは、全反射用光源１０ａおよび散乱用光源２０ａの照射光により照らされた検知面の像を受光素子部５０ａの微小受光素子上に結像させるように構成されている。結像レンズ４０ａと受光素子部５０ａの受光素子は、結像レンズ４０ａに入射した光が受光素子部５０ａの受光素子上で結像するように角度と距離が調整されている。
図１１は、結像レンズ４０ａの一例を模式的に示した図である。ここでは、結像レンズ４０ａとして屈折率分布型レンズアレイを用いる例を説明する。図１１は、等倍結像系の屈折率分布型レンズアレイの一種である、ＳＬＡ（Ｒ）（Ｓｅｌｆｏｃ　Ｌｅｎｓｅ　Ａｒｒａｙ）の簡単な構成を示した図である。４１が微小レンズとしてのロッドレンズ、４２が黒色樹脂、４３がＦＲＰ板である。ロッドレンズ４１は棒状のものであり、図１１ではそのレンズ面が見えている。また、図９の構成図ではこのロッドレンズ４１一つのみの側断面を示している。このＳＬＡを用いれば、入射された光線を屈曲させて、所定位置に正立・等倍の像を結像させることができる。つまり、検知面１１０上から得られた反射光をそのまま受光素子アレイ上に結像させることができる。
上記例は、ロッドレンズ４１が直線状に配置されたものであるが、全反射用光源１０ａおよび散乱用光源２０ａから取り出す光線の並び、後述する受光素子部５０ａの各受光素子の配置に応じたレンズ配置とする。
なお、上記説明は、等倍結像系の例であるが、受光素子部５０ａの受光素子であるそれぞれの受光素子受光面と、検知面１１０とが、結像光学系を形成していることが重要である。
次に、受光手段である受光素子部５０ａを説明する。
受光素子部５０ａは複数の微小受光素子を持ち、それらは全反射用光源１０ａまたは散乱用光源２０ａの並列平行の光に対応するように複数配置されている。つまり、全反射用光源１０ａまたは散乱用光源２０ａから照射された複数の直進光を個別に検知する微小受光手段を備えていることとなる。
図１２は、受光素子部５０ａの一例を模式的に示した図である。図１２の例は各受光素子部５０ａの各受光素子を直線状に配置した例となっている。５１は各受光素子であり受光面を概念的に示したものである。なお、受光素子５１内部のキャパシタやトランジスタ回路、センスアンプ回路などは図示を省略し、受光素子５１の受光面が直線状に配置されていることが分かる図とした。各受光素子５１の受光面は、全反射用光源１０ａおよび散乱用光源２０ａの開口部１４の配置と対応するように配置され、結像レンズ４０ａを介して検知面１１０からの反射光が結像するように、その距離、角度が調整されて取り付けられる。
なお、受光素子５１の受光面の有効面積は、検出すべき付着物の面積に対応して調整することができ、上記した検知面１１０上で検知すべき付着物の大きさの検討に従って、結像レンズ４０ａが等倍結像系であれば、好ましくは約０．２ｍｍ２以下、さらに好ましくは約０．０３ｍｍ２以下とする。もっとも上記範囲と異なる受光面有効面積を持つ受光素子を用いることもできる。
以上の各構成要素において、全反射用光源１０ａ、プリズム３０ａ、プリズム３０ｃ、結像レンズ４０ａ、受光素子部５０ａにより付着物検出手段が構成され、また、散乱用光源２０ａ、プリズム３０ｃ、結像レンズ４０ａ、受光素子部５０ａにより光散乱性付着物検出手段が構成されている。図９は断面図であって、これら各要素の構成は紙面垂直方向にアレイ状に複数構成されているものとする。なお、本実施形態３の付着物検出装置は、全反射用光源１０ａによる光照射タイミングと、散乱用光源２０ａによる光照射タイミングを切り替えることにより、付着物検出モードと、光散乱性付着物検出モードと、外界入射光量増加検出モードとを切り替えることができるものとする。制御部分は図９には図示しなかったが、全反射用光源１０ａのオンオフ制御、散乱用光源２０ａのオンオフ制御、付着物推定部６０ａへの稼動モード通知、つまり、付着物検出モードであるか光散乱性付着物検出モードであるか外界入射光量増加検出モードであるかを通知する機能を備えた制御部分があるものとする。付着物推定部６０ａが当該制御部分を兼ねる構成としても良い。
次に、付着物推定部６０ａを説明する。
付着物推定部６０ａは、受光素子部５０ａからの光検出信号を受け、光検出信号を解析することにより、付着物の有無、付着物の種類、付着物の付着形状を推定処理する部分である。第２の付着物検出装置に用いる受光素子は、微小アレイ構成となっているので、付着物推定部６０は、受光素子部５０の各受光素子５１からの光検出信号を受け、光検出信号を解析することにより、一つのモードにおいて各受光素子が検出した光検出信号の信号レベルを微小アレイ構成の配置に従って信号レベルをつなぎ合わせ、信号パターンを導く。検知面１１０上における雨滴付着による全反射条件の相違や散乱条件の相違などがあれば、対応するそれぞれの微小受光素子における光検出信号レベルが個々に異なることとなり、信号パターン中に低下部分や増加部分などが出現する。本願はこのように信号パターンを解析することにより、検知面上の付着物の有無、種類などを検出するものである。
以下に、付着物検出モードの信号パターン、光散乱性付着物検出モードの信号パターンとそれら信号パターンを用いた解析を詳しく説明する。
まず、最初に、検知面１１０上に３つの雨滴が存在する場合の付着物検出モードおよび光散乱性付着物検出モードの動作における付着物有無の検出、付着物種類の検出ついて説明する。
まず、付着物検出モードにおける動作を説明する。
検知面１１０上に雨滴が付着している場合、付着物検出モードでの光の進行の様子は、実施形態１で説明した図２（ａ）と同様、検知面１１０において全反射条件が満足されず、照射光が外界へ逃げてしまう。そのため、受光素子部５０ａの対応する受光素子には原理的には光が受光されないこととなる。そのため信号パターンの対応する部分において、相対的に周囲の信号レベルに対する信号レベルの低下部分が検出されることになる。この例では雨滴が３個所あるので、信号パターンにおいて３個所の低下部分が見られることとなる。その様子を表わしたものが図１３（ａ）上段の信号パターンである。図１３（ａ）上段に示すように、周囲の信号レベルに比べて相対的に低下しているパターン部分が３個所見られる。
次に、光散乱性付着物検出モードにおける動作を説明する。
検知面１１０上に雨滴が付着している場合、光散乱性付着物検出モードでの光の進行の様子は、実施形態１で説明した図２（ｂ）と同様、雨滴は光散乱性に乏しく、原理的には光散乱が起こらないため、照射光が外界へ逃げてしまう。そのため、原理的には受光素子部５０ａの対応する受光素子には光が受光されないこととなる。そのため、各受光素子の光検出信号は雨滴付着があっても無くてもいずれも低い信号レベルになる。信号パターンを示したものが図１３（ａ）下段である。この例では検知面１１０上には雨滴付着が３個所あるが、光散乱性付着物検出モードで得られる信号パターンは図１３（ａ）下段に見るように低く平坦であり、“信号レベルパターン変化なし”が検出されることになる。
なお、付着物推定部６０ａは、付着物検出モードで“信号パターン低下部分あり”から“信号パターン変化なし”への変化が検出された場合には、雨滴付着物が検知面上から取り除かれたと推定することができる。なおこの推定は後述する図１９の（２）の場合に相当する。
次に、検知面１１０上に３つの泥水が存在する場合の付着物検出モードおよび光散乱性付着物検出モードの動作における付着物有無の検出、付着物種類の検出ついて説明する。
検知面１１０上に泥水が付着している場合、付着物検出モードでの光の進行の様子は、実施形態１で説明した図３（ａ）と同様、検知面１１０の泥水１２０ａの存在により検知面１１０における全反射条件が満足されず、照射光が外界へ逃げたり散乱したりして、受光素子部５０ａには光が受光されない。もっとも泥水１２０ａの光散乱性による散乱光の一部が受光されることが有り得るが、全反射光を受光する場合に比べてはるかに小さいものとなる。そのため信号パターンの対応する部分において、相対的に周囲の信号レベルに対する信号レベルの低下部分が検出されることになる。その様子を表わしたものが図１３（ｂ）上段の信号パターンである。図１３（ｂ）上段に示すように、周囲の信号レベルに比べて相対的に低下しているパターン部分が３個所見られる。
次に、光散乱性付着物検出モードにおける動作を説明する。
検知面１１０上に泥水が付着している場合、光散乱性付着物検出モードでの光の進行の様子は、実施形態１で説明した図３（ｂ）と同様、散乱用光源光が泥水１２０ａである付着物に当たると泥水１２０ａは光散乱性を有しているので光散乱が起こることとなる。このため泥水１２０ａから周囲には散乱光が発せられ、その一部が、プリズム３０ｃ、結像レンズ４０ａを介して受光素子部５０ａに受光されることとなる。そのため泥水付着がある検知面に対応する微小受光素子が受け取る光検出信号は、相対的に大きいものとなる。そのため信号パターンの対応する部分において、相対的に周囲の信号レベルに対して信号レベルが増加している部分が信号パターンとして検出されることになる。その様子を表わしたものが図１３（ｂ）下段の信号パターンである。図１３（ｂ）下段に示すように、周囲の信号レベルに比べて相対的に増加しているパターン部分が３個所見られる。　付着物推定部６０ａは、付着物検出モードで“信号パターン低下部分あり”、光散乱性付着物検出モードで“信号パターン増加部分あり”が得られた場合、泥水の存在、つまり、光散乱性を有する付着物の存在を推定する。なおこの推定は図１９の（３）および（４）の場合に相当する。泥水が水分を含んだ状態か泥が乾いた状態であるかの区別については実施形態４において説明する。
なお、付着物推定部６０ａは、付着物検出モードで“信号パターン低下部分あり”から“信号パターン変化なし”への変化が検出され、光散乱性検出モードで“信号パターン増加部分あり”から“信号パターン変化なし”への変化が検出された場合には、泥水などの光散乱性付着物が検知面上から取り除かれたと推定することができる。
図１４は、本発明の付着物検出装置の付着物推定部６０ａによる付着物の有無、付着物の種類、付着物の状態の推定処理を示すフローチャートである。
付着物推定部６０ａは、稼動モードを付着物検出モードに設定し、全反射用光源１０ａに光照射制御信号を送る（処理Ｏｐ１４０１）。全反射用光源１０は検知面１１０に照射光を照射し、受光手段である受光素子部５０は検知面１１０からの反射光を受光する。
次に、付着物推定部６０ａは、受光素子部５０ａの各受光素子から得られた信号レベルを基に、付着物検出モードにおける信号パターンを取得する（処理Ｏｐ１４０２）。
次に、付着物推定部６０ａは、信号パターンを解析し、その変化を検知する（処理Ｏｐ１４０３）。
付着物推定部６０ａは、信号パターンの相対的変化について、“信号パターン低下部分あり”、“信号パターン増加部分あり”、“信号パターン変化部分なし”のいずれかを検知する（処理Ｏｐ１４０４）。例えば、雨滴の例では、信号パターン（図１３（ａ）上段）から”信号パターン低下部分あり”が検知される。
次に、付着物推定部６０ａは、稼動モードを光散乱性付着物検出モードに設定し、散乱用光源２０ａに光照射制御信号を送る（ステップ１４０５）。散乱用光源２０ａは検知面１１０に照射光を照射し、受光手段である受光素子部５０ａは検知面１１０からの散乱光を受光する。
次に、付着物推定部６０ａは、受光素子部５０ａの各受光素子の信号レベルを基に、光散乱性付着物検出モードにおける信号パターンを取得する（処理Ｏｐ１４０６）。
次に、付着物推定部６０ａは、信号パターンを解析し、その変化を検知する（処理Ｏｐ１４０７）。
付着物推定部６０ａは、信号パターンの相対的変化について、“信号パターン低下部分あり”、“信号パターン増加部分あり”“信号パターン変化部分無し”のいずれかを検知する（処理Ｏｐ１４０８）。例えば、雨滴の例では、信号パターン（図１３（ａ）下段）から“信号パターン変化部分無し”が検知される。
次に、付着物推定部６０ａは、処理Ｏｐ１４０４における付着物検出モードでの検知した“信号パターン低下部分あり”、“信号パターン増加部分あり”、“信号パターン変化部分なし”の３状態のいずれかと、および処理Ｏｐ１４０８における光散乱性付着物検出モードで検知した“信号パターン低下部分あり”、“信号パターン増加部分あり”、“信号パターン変化部分なし”の３状態のいずれかとの組み合わせに応じ、図１９で示した表に基づいて、付着物の有無、付着物の種類を推定する（処理Ｏｐ１４０９）。例えば、雨滴の例では、図１９の（２）に相当するので雨滴が付着していると推定され、泥水の例では、図１９の（３）または（４）に相当するので泥水が付着していると推定される。
なお、付着物推定部６０ａの信号パターンの解析により、付着している水滴の大きさを概ね推定することも可能である。付着した水滴の大きさに対応して、信号パターンのうち信号レベルが低下している部分の幅が変化することとなるので、信号パターンの信号レベル低下部分の幅から付着した水滴の大きさを概ね推定することが可能となるわけである。
以上、実施形態３にかかる本発明の第２の付着物検出装置によれば、受光素子アレイ構成に対応して得られた光検出信号の信号パターンを解析して、相対的な信号パターンの変化を基に、付着物の有無、種類、状態を推定することができる。信号パターンの微小区間同士の相対的な変化を解析するので、細かい付着物の有無も精度良く検出することができ、また、温度特性などによる環境の変化の影響も受けにくい。
（実施形態４）
実施形態４にかかる本発明の第２の付着物検出装置は、付着物の種類やその状態の推定処理について、さらなる応用機能を備えた例を説明する。特に一例として、付着物を泥水とし、当該泥水が、水分を含むいわゆる“泥水”状態であるか、乾燥した状態であるかを区別して推定する例を示す。
装置構成、各要素の配置については実施形態３と同様で良いのでここでは省略するが、付着物推定部６０ａの処理が異なっている。
まず、泥水が、水分を含むいわゆる“泥水“状態であるか、乾燥した状態の泥であるかを区別して推定する原理を説明する。
なお、水分を含むいわゆる“泥水“に関しては、実施形態３において説明したのでここでの詳しい説明は省略する。付着物検出モードでの光の経路は図２（ａ）と同様であり、その信号パターンは図１３（ｂ）上段と同様に検出でき、泥水が検知面上に３個所あれば、信号パターンにおいて周囲の信号レベルに比べて相対的に低下している部分が３個所見られる。また、光散乱性付着物検出モードでの光の経路は図３（ｂ）と同様であり、その信号パターンは図１３（ｂ）下段と同様に検出でき、泥水が検知面上に３個所あれば、信号パターンにおいて周囲の信号レベルに比べて相対的に増加している部分が３個所見られる。
また、乾燥した状態の泥の様子、乾燥した泥の付着がある場合の付着物検出モードにおける光の経路および光散乱性付着物検出モードにおける光の経路は、実施形態２で説明した図６と同様であり、検知面１１０上乾いた泥に対応する微小受光素子が受光する光検出信号レベルは低下するものの、水分を含んだ泥水の場合に比べて相対的に小さいものとなる。このように、乾いた泥の付着があれば、付着物検出モードにおける信号パターンにおいて周囲の信号レベルに比べて相対的に低下している部分が見られる。
図１５は、泥が水分を含んでいる場合（ａ）と泥が乾燥している場合（ｂ）の信号パターンの例を示したものである。それぞれ上段が付着物検出モードにおける信号パターン、下段が光散乱性付着物検出モードにおける信号パターンである。実施形態４の付着物検出装置は、原理的には光散乱性付着物検出モードにおける信号パターンを解析することにより、付着物の水分の過多、つまり、水分を含んだ状態の泥水であるか、乾いた状態の泥水であるかを区別して推定するものである。つまり、図１５（ａ）と（ｂ）両者の信号パターンにおける山の部分の波形としての高さを評価すれば良いこととなる。推定精度を上げる一つの方法としては、両モードにおいて平坦部分（付着物がない部分の信号パターン）を１００とし、変化部分（付着物がある部分の信号パターン）の相対的大きさを評価する方法がある。信号パターンの変化の大きさの割合が所定値よりも大きい場合に泥水と推定し、所定値よりも小さい場合に乾いた泥と推定する。
他の方法としては、付着物検出モードにおける信号パターンと光散乱性付着物検出モードにおける信号パターンとをパターンとして重ね合わせ、付着物がない信号パターン部分の信号パターンの高低差と、付着物のある信号パターン部分の高低差との比較により、信号パターンの変化の大きさの割合を定量的に評価する方法もある。
付着物推定部６０ａによる処理ステップは、図１４と同様の流れで良い。なお本実施形態４では、処理Ｏｐ１４０４における付着物検出モードで検知した状態および処理Ｏｐ１４０８における光散乱性付着物検出モードで検知した状態は、“信号パターン低下部分あり（低下割合大）”、“信号パターン低下部分あり（低下割合小）”、“信号パターン増加部分あり（増加割合大）”、“信号パターン増加部分あり（増加割合小）”、“信号パターン変化なし”の５状態あることとなる。これら状態のいずれかの組み合わせに応じ、処理Ｏｐ１４０９の付着物の有無・付着物の種類の推定処理が図１９で示した表に基づいてなされる。泥水は、図１９の表の（３）の場合に相当するので泥水が付着していると推定され、一方、乾いた泥は、図１９の表の（４）の場合に相当するので乾いた泥が付着していると推定される。
以上、実施形態４にかかる本発明の第２の付着物検出装置によれば、受光素子アレイ構成に対応して得られた光検出信号の信号パターンを解析して、相対的な信号パターンの変化を基に、付着物が泥水であるのか、乾いた泥であるのかを推定することができる。信号パターンの微小区間同士の相対的な変化を解析するので、細かい付着物の有無も精度良く検出することができ、また、温度特性などによる環境の変化の影響も受けにくい。
（実施形態５）
実施形態５の付着物検出装置は、検知面上に結露した微小水滴、つまり、曇りがあるのか否かを推定するものである。
装置構成、各要素の配置については実施形態３と同様で良いのでここでは省略する。
検知面１１０上に結露した微小水滴、つまり、曇りがある場合、付着物検出モードと、光散乱性付着物検出モードにおいてどのような信号パターンが得られるかを説明する。本発明の付着物検出装置は、各構成要素において微小アレイ構成を採用しており、検知面１１０上の付着状態に対応して検出された光検出信号の信号レベルをパターンとして得るが曇りのような結露した微小水滴の大きさは、本発明の付着物検出装置の一つあたりの受光素子の大きさよりもはるかに小さい。また、通常、結露による曇りは検知面において局所的に起こらず、少なくとも検知面全面を覆う程度の規模で発生すると想定される。そのため、検知面１１０上全体にわたり付着状態が似通ったものとなり、信号パターンには相対的な変化部分が現れないこととなる。しかし、全反射用光源からの照射光の全反射や、散乱用光源からの照射光の散乱は、結露による微小水滴においても起こるので、信号パターンは全体的に低下したり増加したりすることとなる。ただし、結露による微小水滴が覆っている部分と覆っていない部分が併存しているので、付着物検出モードでは、信号パターンは全体的に低下するが、その低下割合は雨滴付着の場合に比べて小さく、光散乱性検出モードでは信号パターンは全体的に増加するが、その増加割合は泥水付着の場合に比べて小さい。
図１６（ａ）は、結露による曇りがない場合の信号パターンである。図１６（ｂ）は結露による曇りがある場合の信号パターンである。
図１６（ｂ）上段の付着物検出モードの信号パターンは、図１６（ａ）上段のものと比べて全体的に低下しており、かつ、パターンが滑らかで平坦であることが分かる。
図１６（ｂ）下段の光散乱性付着物検出モードの信号パターンは、図１６（ａ）中段のものと比べて全体的に増加しており、かつ、パターンが滑らかで平坦であることが分かる。
結局、検知面上に結露による曇りがあるか否かを検出するためには、得られた信号パターンが図１６（ａ）と図１６（ｂ）のいずれの信号パターンであるかを判別すれば良いが、この場合、両者の信号パターンが滑らかで平坦であるので信号パターン形状のみによる判別が難しい。そこで、全反射用光源１０ａも散乱用光源２０ａも全部消灯したモードを設けることが好ましい。この全消灯モードにおいて得られた信号パターンによりいわゆる“０”信号パターンと、光散乱性付着物検出モードにおいて得られた信号パターンを比較することにより、光散乱性付着物検出モードにおいて得られた信号パターンが全体的に増加していることが明瞭に分かる。検知面１１０上において光散乱が生じており、かつ、その信号パターンが平坦であれば、結露による微小水滴、つまり、曇りの付着を推定することができる。
付着物推定部６０ａによる処理ステップは、図１７に示すものである。図１７の処理Ｏｐ１７０１〜処理Ｏｐ１７０８は、図１４の処理Ｏｐ１４０１〜処理Ｏｐ１４０８と同様で良い。なお本実施形態５では、処理Ｏｐ１７０４における付着物検出モードでは“信号パターン変化部分なし”が検知され、処理Ｏｐ１７０８における光散乱性付着物検出モードでは“信号パターン変化部分なし”が得られる。
次に、全反射用光源１０ａおよび散乱用光源２０ａ双方を消灯させて光検出信号パターン、つまり、“０”信号パターンを取得し（処理Ｏｐ１７０９）、処理Ｏｐ１７０６で取得した光散乱性付着物モードで取得した信号パターンと、処理Ｏｐ１７０９で取得した“０”信号パターンとを比較し、光散乱性付着物モードで信号レベルが増加したか否かを検知する（処理Ｏｐ１７１０）。次に、付着物推定部６０において、図１９で示した表に基づいて、付着物を推定する（処理Ｏｐ１７１１）。ここでは図１９の（５）の場合に相当するので結露による曇りが付着していると推定される。
以上、実施形態５にかかる本発明の第２の付着物検出装置によれば、微小アレイ構成に対応して得られた光検出信号の信号パターンを解析して、相対的な信号パターンの変化と、“０”信号パターンとの比較による信号レベルの変化を基に、検知面上に結露による曇りが付着しているのか否かを推定することができる。
（実施形態６）
実施形態６にかかる本発明の第２の付着物検出装置は、検知面上に氷結があるのか否かを推定するものである。
装置構成、各要素の配置については実施形態３と同様で良いのでここでの説明は省略する。
検知面１１０上に氷結がある場合、付着物検出モードと、光散乱性付着物検出モードにおいてどのような信号パターンが得られるかを説明する。
氷結は、通常、外気温が氷点以下に低下した場合に、空気中の水分など何らかの水分が検知面上で凝固することにより生成される。通常、氷結は検知面において局所的に起こらず、少なくとも検知面１１０全体を覆うことが想定される。そのため、信号パターン全体にわたって氷結付着物による影響が現れることとなる。
実施形態５で述べた結露による曇りの場合は、均一に微小水滴が付着するので、信号パターン中における相対的変化部分は生じないものであったが、氷結の場合は、氷結晶の付着具合の違いや微細な表面形状の違いから、検知面１１０上での付着状態は不規則に変化していることとなり、信号パターンには全体にわたり不規則な変化部分が現れることとなる。
図１８（ａ）は、氷結がない場合の信号パターンを示した図である。図１８（ｂ）は、氷結がある場合の信号パターンを示した図である。それぞれ、上段が付着物検出モードにおいて得られた信号パターン、下段が光散乱性付着物検出モードで得られた信号パターンである。図１８（ｂ）に見るように、氷結がある場合は、付着物検出モードにおいて信号レベル自体は全体的に低下し、さらに、信号パターン全体的にわたり不規則な変化が見られることが分かる。また、光散乱性付着物検出モードにおいて信号レベル自体は全体的に増加し、さらに、信号パターン全体的にわたり不規則な変化が見られることが分かる。
結局、検知面上に氷結があるか否かを検出するためには、得られた信号パターンが図１８（ａ）と図１８（ｂ）のいずれの信号パターンであるかを判別すれば良いこととなる。この場合、信号レベルおよびその不規則性を評価することにより判別は可能となる。
本実施形態６の付着物推定部６０ａによる推定処理ステップは図１４に示すものと同様であるが、本実施形態６では、処理Ｏｐ１４０４における付着物検出モードでは“信号パターン不規則変化あり”が検知され、処理Ｏｐ１４０８における光散乱性付着物検出モードでは“信号パターン不規則変化あり”が得られる。処理Ｏｐ１４０９の付着物推定部６０ａの付着物推定処理においては、図１９の（６）の場合に相当するので氷結付着物が付着していると推定される。
以上、実施形態６に示した本発明の第２の付着物検出装置によれば、微小アレイ構成に対応して得られた光検出信号の信号パターンを解析して、相対的な信号パターンの変化を基に、検知面上の氷結付着物の存在を推定することができる。
（実施形態７）
本実施形態７は、本発明の付着物検出装置を用いた制御装置の一実施形態として、付着物検出装置をレインセンサとして用いるウィンドウワイパー制御装置の装置構成例を示すものである。
図２０は、付着物検出装置をレインセンサとして用いるウィンドウワイパー制御装置のブロック図の例である。７００が実施形態１〜６において示した本発明の付着物検出装置であるレインセンサの機能ブロック、７１０がウィンドウワイパー制御手段、７２０がウィンドウワイパー駆動手段、７３０がウィンドウワイパーであり、図示のように接続されている。また、図２１は、本実施形態７のウィンドウワイパー制御装置の処理動作の流れの一例を示すフローチャートである。
レインセンサ７００は実施形態１において説明したように各要素の取付け角度や材質が選択されたものであり、降雨による雨滴を検知対象とし、各受光素子からの光検出信号を出力するものである。また、レインセンサとして使用する付着物検出装置の付着物推定部は、雨滴推定、泥水推定、水分を含んだ状態の泥水推定、乾いた状態の泥水推定、曇り推定、氷結推定処理のいずれかの推定処理またはすべての推定処理が可能であるとする。
レインセンサ７００は付着物推定部の出力信号として、“付着物なし”推定信号、“雨滴付着あり”推定信号、“水分を含む状態の泥水付着あり”推定信号、“乾いた状態の泥水付着あり”推定信号、“曇り状態の水滴付着あり”推定信号、“氷結状態の水滴付着あり”推定信号の６種類の検出信号を出力するものとする。
ウィンドウワイパー制御手段７１０は、レインセンサ７００の付着物推定部からの各種推定信号を入力とし、ウィンドウワイパー駆動手段７２０に対して、ウィンドシールド表面の各推定状態に応じたワイパー制御信号を出力するものである。
例えば、“付着物なし”推定信号に対しては、ワイパー停止状態とする制御信号を出力する。
“雨滴付着あり”推定信号と“曇り状態の水滴付着あり”推定信号に対しては、ワイパー駆動状態とする制御信号を出力する。
“水分を含む状態の泥水付着あり”推定信号に対しては、洗浄液噴射とともにワイパー駆動状態とする制御信号を出力する。泥水の払拭には洗浄液とともにワイパーで払拭することが好ましいと想定されるからである。
“乾いた状態の泥水付着あり”推定信号に対しては、ワイパー停止状態とする制御信号を出力する。乾いた状態の泥水がウィンドシールド上にある場合、そのままワイパーで払拭すれば、ワイパー制御装置およびウィンドシールドを傷つけるおそれがあるからである。なお、運転者に対して、乾いた状態の泥水の付着がある旨の警告をする制御としても良い。この場合は、運転者に対する警告を制御する制御部分に対して警告指示制御信号を出力することとなる。
“氷結状態の水滴付着あり”推定信号に対しては、ワイパー停止状態とする制御信号を出力する。氷結状態の水滴がウィンドシールド上にある場合、そのままワイパーで払拭すれば、ワイパー制御装置およびウィンドシールドを傷つけるおそれがあるからである。なお、ウィンドシールドに組み込まれた氷結防止機能を自動的にオンとする制御を行うことができる。この場合、該氷結防止機能を制御する制御部分に対して駆動制御信号を出力することとなる。
ウィンドウワイパー駆動手段７２０はウィンドウワイパー制御手段７１０からの制御信号を入力とし、ウィンドウワイパー７３０の駆動を制御するものである。
ウィンドウワイパー７３０は、ウィンドウワイパー駆動手段７２０によりトルクなどが与えられて駆動され、停止状態、駆動状態を持つ。駆動状態には間欠駆動のピッチが短いものや長いものなど複数の状態がありうる。駆動状態においてウィンドシールドの所定表面を払拭する。
図２１のフローチャートを参照しつつ、ウィンドウワイパー制御装置の処理動作の流れを説明する。
ウィンドウワイパー制御装置が稼動中の場合（処理Ｏｐ２１０１：Ｙ）、ウィンドウワイパー制御手段７１０は、レインセンサ７００の付着物推定部６０からの制御信号をモニタする（処理Ｏｐ２１０２）。
ウィンドウワイパー制御手段７１０は、付着物推定部６０からの制御信号をデコードし、その制御内容を解析する（処理Ｏｐ２１０３）。
ウィンドウワイパー制御手段７１０は、処理Ｏｐ２１０３で得た制御内容に従い、ウィンドウワイパー７３０の駆動を制御する（処理Ｏｐ２１０４）。処理Ｏｐ２１０４の後、再度処理Ｏｐ２１０１にループして制御を継続する（処理Ｏｐ２１０１へ戻る）。
図２２は、本発明の付着物検出装置をレインセンサとして用いたウィンドウワイパー制御装置の取り付け構成例を簡単に示した図である。図２２に示すように、付着物検出装置であるレインセンサ７００を、車のバックミラー９００の裏面にあるウィンドシールド部分９１０に取り付けている。このようにバックミラー９００の裏面のウィンドシールド部分９１０に取り付けることにより運転者の運転視界を不必要に遮ることなく、かつ、検知面をウィンドシールド上に確保できる。ウィンドウワイパー制御手段７１０とウィンドウワイパー駆動手段７２０は図示していないが、ウィンドウワイパー７３０付近の車装品としてキャビン内に格納されているものとする。
以上、本実施形態７に示した付着物検出装置を用いた制御装置は、一例であり、本発明の付着物検出装置は、上記の具体的装置構成例に限定されることなく、本発明の技術的思想に基づいて他の装置構成も可能であり、ウィンドウワイパー制御装置以外の用途にも用いることができることは言うまでもない。
産業上の利用可能性
本発明の第１および第２の付着物検出装置によれば、検知面上における付着物の有無、付着物の種類、付着の状態を推定することができる。例えば、雨滴、水分を含んだ状態の泥水、乾いた状態の泥水、曇り状態の水滴、氷結状態の水滴などの付着物を推定することができる。
また、本発明の第２の付着物検出装置によれば、微小アレイ構成に対応して得られた光検出信号の信号パターンを解析して、相対的な信号パターンの変化を基に、付着物の有無、種類、状態を推定することができる。信号パターンの微小区間同士の相対的な変化を解析するので、細かい付着物の有無も精度良く検出することができ、また、温度特性などによる環境の変化の影響も受けにくい。
また、本発明の第１および第２の付着物検出装置を用いた制御装置によれば、付着物の有無、付着物の種類、付着の状態の推定に応じてその制御内容を制御することができ、例えば、付着物検出装置をレインセンサとし、付着物検出装置を用いた制御装置をワイパー制御装置とすれば、ウィンドシールド上の付着物の推定に応じてワイパー駆動状態を制御することができる。
【図面の簡単な説明】
図１は、本発明の第１の付着物検出装置の装置構成例を簡単に示した模式図である。
図２は、雨滴が検知面１１０上に付着している場合の付着物推定部６０による当該付着物に対する推定処理の概念を説明した図である。
図３は、泥水が検知面１１０上に付着している場合の付着物推定部６０による当該付着物に対する推定処理の概念を説明した図である。
図４は、本発明の第１の付着物検出装置の受光素子部５０から得られる光検出信号レベルの例を示す図である。
図５は、本発明の第１の付着物検出装置の付着物推定部６０による付着物の有無、付着物の種類、付着物の状態の推定処理を示すフローチャートである。
図６は、泥水が乾いた状態の付着物が検知面１１０上に付着している場合の付着物推定部６０による当該付着物に対する推定処理の概念を説明した図である。
図７は、実施形態２にかかる本発明の第２の付着物検出装置の付着物推定部６０による付着物の有無、付着物の種類、付着物の状態の推定処理を示すフローチャートである。
図８は、本発明の第１の付着物検出装置における付着物検出モードと光散乱付着物検出モードにおける光検出信号レベルによる付着物の有無、付着物の種類、付着物の状態の推定を表した図である。
図９は、本発明の第２の付着物検出装置の装置構成例を簡単に示した模式図である。
図１０（ａ）は、本発明の第２の付着物検出装置の光源部１０ａの端面を模式的に示した図、図１０（ｂ）は、光源部１０を開口部１４の見える面を正面とした図である。
図１１は、本発明の第２の付着物検出装置の結像レンズ４０ａの一例を模式的に示した図である。
図１２は、本発明の第２の付着物検出装置の受光素子部５０ａの一例を模式的に示した図である。
図１３は、本発明の第２の付着物検出装置において検出された付着物が雨滴である場合と泥水である場合の信号パターンである。
図１４は、実施形態３にかかる本発明の第２の付着物検出装置の付着物推定部６０ａによる付着物の有無、付着物の種類、付着物の状態の推定処理を示すフローチャートである。
図１５は、本発明の第２の付着物検出装置により検出された付着物が泥水である場合と乾いた泥である場合の信号パターンの例を示す図である。
図１６は、本発明の第２の付着物検出装置により検出された結露による曇りがない場合と曇りがある場合の信号パターンの例を示す図である。
図１７は、実施形態５にかかる本発明の第２の付着物検出装置の付着物推定部６０ａによる付着物の有無、付着物の種類、付着物の状態の推定処理を示すフローチャートである。
図１８は、実施形態６にかかる本発明の第２の付着物検出装置において検出された氷結がない場合と氷結がある場合の信号パターンを示す図である。
図１９は、本発明の第２の付着物検出装置の付着物検出モードと光散乱付着物検出モードにおける光検出信号パターンによる付着物の有無、付着物の種類、付着物の状態の推定を表した図である。
図２０は、本発明の付着物検出装置をレインセンサとして用いたウィンドウワイパー制御装置のブロック図である。
図２１は、本発明の付着物検出装置をレインセンサとして用いたウィンドウワイパー制御装置の処理動作の流れの一例を示すフローチャートである。
図２２は、本発明の付着物検出装置をレインセンサとして用いたウィンドウワイパー制御装置の取り付け構成例を簡単に示した図である。
図２３は、従来の反射光検知型レインセンサによる雨滴検出原理を簡単に説明した図である。
【図１】
2002021107.tif 000004
【図２】
2002021107.tif 000005
【図３】
2002021107.tif 000006
【図４】
2002021107.tif 000007
【図５】
2002021107.tif 000008
【図６】
2002021107.tif 000009
【図７】
2002021107.tif 000010
【図８】
2002021107.tif 000011
【図９】
2002021107.tif 000012
【図１０】
2002021107.tif 000013
【図１１】
2002021107.tif 000014
【図１２】
2002021107.tif 000015
【図１３】
2002021107.tif 000016
【図１４】
2002021107.tif 000017
【図１５】
2002021107.tif 000018
【図１６】
2002021107.tif 000019
【図１７】
2002021107.tif 000020
【図１８】
2002021107.tif 000021
【図１９】
2002021107.tif 000022
【図２０】
2002021107.tif 000023
【図２１】
2002021107.tif 000024
【図２２】
2002021107.tif 000025
【図２３】
2002021107.tif 000026
【手続補正書】
【提出日】平成14年4月16日(2002.4.16)
【手続補正１】
【補正対象書類名】明細書
【補正対象項目名】特許請求の範囲
【補正方法】変更
【補正の内容】
【特許請求の範囲】
【請求項１】
全反射用光源と散乱用光源を備え、前記全反射用光源から出射され透明性基板内に導入された入射光が反射され、また、前記散乱用光源から出射され前記透明性基板内に導入された入射光が照射される前記透明性基板の外表面を検知面とし、
前記検知面からの前記全反射用光源の反射光が受光手段により受光できるように前記全反射用光源、前記透明性基板、前記受光手段が配置され、また、前記散乱用光源による前記検知面からの散乱光が受光できるように前記散乱用光源、前記受光手段が配置され、
前記受光手段が検知した光検出信号における、付着物による前記全反射用光源からの信号レベルの変化を検出して前記付着物の存在を検出する付着物検出手段と、
前記受光手段が検知した光検出信号における、付着物による前記散乱用光源からの信号レベルの変化を検出して前記付着物が光散乱性のある付着物であるか否かを検出する光散乱性付着物検出手段を備え、
前記全反射用光源と前記散乱用光源とを切り替えて動作させることを特徴とする付着物検出装置。
【請求項２】
前記付着物検出手段と前記光散乱性付着物検出手段が、同一検知面からの光を受光するものである請求項１に記載の付着物検出装置。
【請求項３】
削除
【請求項４】
前記付着物検出手段により付着物の存在が検出され、かつ、前記光散乱性付着物検出手段により光散乱性付着物の存在が検出された場合、前記付着物が泥水であると推定し、
前記付着物検出手段により付着物の存在が検出され、かつ、前記光散乱性付着物検出手段により光散乱性付着物の存在が検出されない場合、前記付着物が水滴であると推定する請求項１に記載の付着物検出装置。
【請求項５】
全反射用と散乱用の２種類の光源を備え、前記全反射用光源から発射され透明性基板内に導入された入射光が反射され、また、前記散乱用光源から発射され前記透明性基板内に導入された入射光が照射される前記透明性基板の外表面の一部を検知面とし、
前記検知面から入射する前記全反射用光源による反射光と前記散乱用光源による散乱光をそれぞれ結像させる結像系レンズと、
前記全反射用光源の照射と、前記散乱用光源の照射とを切り替える光源切り替え手段と、
複数の微小受光素子を配列した受光素子アレイを備え、
前記結像系レンズからの光を前記受光素子アレイで受光し、各微小受光素子からの光検出信号をそれら微小受光素子の配列に応じて並べた信号パターンを生成し、前記全反射用光源の照射から得られる前記信号パターンにより付着物の存在を検出し、前記散乱用光源の照射から得られる前記信号パターンにより前記付着物が光散乱性のある付着物であるか否かを検出することを特徴とする付着物検出装置。
【請求項６】
削除
【請求項７】
前記信号パターンにおいて、周囲の信号レベルから相対的に信号レベルが低下しているパターン部分の存在を検出すれば、該パターン部分に対応する検知面上に付着物が存在すると検出する付着物検出手段と、
前記信号パターンにおいて、周囲の信号レベルから相対的に信号レベルが増加しているパターン部分の存在を検出すれば、該パターン部分に対応する検知面上に光散乱性付着物が存在すると検出する光散乱性付着物検出手段を備え、
前記付着物検出手段により付着物の存在が検出され、前記光散乱性付着物検出手段により光散乱性付着物の存在が検出された場合、前記付着物が光散乱性を持つ物質であると推定し、
前記付着物検出手段により付着物の存在が検出され、前記光散乱性付着物検出手段により散乱性付着物の存在が検出されない場合、前記付着物が光透過性を持つ物質であると推定する請求項５に記載の付着物検出装置。
【請求項８】
前記光散乱性付着物検出手段により検出された、前記散乱用光源の散乱光の信号パターンにおける周囲の信号レベルから相対的増加を示すパターン部分の相対的大きさから当該付着物の光散乱性の大きさを推定する請求項５に記載の付着物検出装置。
【請求項９】
前記光散乱性付着物検出手段により検出された、前記散乱用光源の散乱光の信号パターンにおける周囲の信号レベルから相対的増加を示すパターン部分の相対的変化から当該付着物の付着物の種類と状態を推定する請求項５に記載の付着物検出装置。
【請求項１０】
前記付着物検出手段により付着物の存在が検出され、かつ、前記光散乱性付着物検出手段により散乱性付着物の存在が検出された場合、前記付着物が泥水であると推定し、
前記付着物検出手段により付着物の存在が検出され、かつ、前記光散乱性付着物検出手段により散乱性付着物の存在が検出されない場合、前記付着物が水滴であると推定する請求項５に記載の付着物検出装置。
【請求項１１】
前記付着物検出手段により付着物の存在が検出され、かつ、前記光散乱性付着物検出手段により散乱性付着物の存在が検出された場合、前記付着物が泥水であると推定し、
前記光散乱性付着物検出手段により検出された、前記散乱用光源の散乱光の信号パターンにおける周囲の信号レベルから相対的に信号レベルの増加を示すパターン部分の相対的大きさが所定割合よりも小さい場合には、前記泥水が乾いている状態であると推定する請求項５に記載の付着物検出装置。
【請求項１２】
前記付着物検出手段により検出された、前記全反射用光源の反射光の信号パターンにおいて、信号パターン全体にわたる信号レベルの低下を検出し、かつ、前記光散乱性付着物検出手段により検出された、前記散乱用光源の散乱光の信号パターンにおいて、信号パターン全体にわたる信号レベルの増加を検出した場合は、前記付着物が結露による微小水滴であると推定する請求項５に記載の付着物検出装置。
【請求項１３】
前記付着物検出手段により検出された前記全反射用光源の反射光の信号パターンにおいて、信号パターン全体にわたり信号レベルが低下し、かつ、信号パターンの変化が滑らかでなく、前記光散乱性付着物検出手段により検出された前記散乱用光源の散乱光の信号パターンにおいて、信号パターン全体にわたり信号レベルが増加し、かつ、信号パターンの変化が滑らかでない場合は、前記付着物が氷結による氷であると推定する請求項５に記載の付着物検出装置。
【請求項１４】
削除
【請求項１５】
前記散乱用光源および前記受光手段が、前記散乱用光源による前記検知面からの散乱光が受光できるように、かつ、前記検知面に付着物がない状態において前記検知面による全反射光が受光手段に直接入射しないように配置された請求項１に記載の付着物検出装置。
【請求項１６】
前記散乱用光源、前記結像系レンズ、および前記受光手段が、前記散乱用光源による前記検知面からの散乱光が受光できるように、かつ、前記検知面に付着物がない状態において前記検知面による全反射光が受光手段に直接入射しないように配置された請求項５に記載の付着物検出装置。
【請求項１７】
前記検知面を自動車のウィンドシールド上に設け、前記ウィンドシールドに付着した付着物の存在を検知するレインセンサとした請求項１，２，４，５，７〜１６のいずれかに記載の付着物検出装置と、
ウィンドウワイパー駆動手段と、
ウィンドウワイパー制御手段を備え、
前記ウィンドウワイパー制御手段が、前記付着物推定部からの付着物の種類と状態についての推定結果に基づいて前記ウィンドウワイパー駆動手段の制御内容を変更するウィンドウワイパー装置。
【国際調査報告】
2002021107.tif 000027
2002021107.tif 000028
2002021107.tif 000029